(57)【要約】【課題】複数の図柄を変動表示する表示ユニットにおいて、充分な駆動力を確保しながら、表示ベルトに囲まれた空間でのレイアウトの自由度を高め、装置の前後方向の長さ寸法を極力小さくする。【解決手段】表示ベルト４０は、アイドラプーリ３４，３６，３８およびテンションパーツ４２によって支承されている。アイドラプーリ３４は基板２０の上部前端付近に、アイドラプーリ３６は基板２０の中央付近に、アイドラプーリ３８は基板２０の下部前端付近に、それぞれ取り付けられている。駆動プーリ３２は、表示ベルト４０の一部を環の内側へ押し込まれた状態に保持しながら、表示ベルト４０の外表面に接触して、凹凸部同士で噛み合っている表示ベルト４０を回動するようになっている。【選択図】図３
2013255582.tif 000002
【特許請求の範囲】
【請求項１】
複数の図柄を変動表示する表示ユニットであって、
複数の図柄を有する無端の表示ベルトと、
前記表示ベルトを環状に支承する複数の従動プーリと、
前記表示ベルトの一部を環の内側へ押し込まれた状態に保持しながら、前記表示ベルトの外表面に接触して、前記表示ベルトを回動する駆動プーリと、
を備えることを特徴とする表示ユニット。
【請求項２】
請求項１に記載の表示ユニットにおいて、
前記表示ベルトの少なくとも一方の端部には被係止部が形成され、
前記駆動プーリには、前記被係止部を係止する係止部が形成されていること
を特徴とする表示ユニット。
【請求項３】
請求項２に記載の表示ユニットにおいて、
前記被係止部が弾性材料によって構成されていること
を特徴とする表示ユニット。
【発明の詳細な説明】
【技術分野】
【０００１】
本発明は、複数の図柄を変動表示する表示ユニットに関する。
【背景技術】
【０００２】
特許文献１に記載の図柄表示装置は、ベース板（１２）と、ベース板の四隅それぞれに回転可能に軸支されたプーリ（１４ａ〜１４ｃ）及びテンションローラ（１４ｄ）と、プーリ及びテンションローラに架け渡された帯状の図柄表示テープ（１３）と、図柄表示テープの外表面側に配置された駆動ローラ（３２）と、図柄表示テープの内表面側に配置された従動ローラ（３５）と、を備え、図柄表示テープが、駆動ローラと従動ローラとにより、その一部が押圧されて挟持されており、ステップモータ（３１）を回転させることにより、駆動ローラと従動ローラとが互いに回転して、図柄表示テープが周回駆動されるようになっている。
【先行技術文献】
【特許文献】
【０００３】
【特許文献１】特開平１１−１７９００７号公報（第３〜４頁、図４）
【発明の概要】
【発明が解決しようとする課題】
【０００４】
しかし、上記特許文献１記載の技術では、駆動プーリと表示ベルト内側の従動プーリとで表示ベルトを挟み込んで駆動することで、駆動プーリによる駆動力を高めているが、表示ベルト内側に従動プーリを設ける分表示ベルトに囲まれた空間でのレイアウトの自由度が低いという問題があった。また、駆動プーリが表示ベルトの外表面側に配置されるため、装置の前後方向の長さ寸法も大きくなるという問題があった。
【０００５】
本発明は、このような課題に鑑みなされたものであり、その目的とするところは、複数の図柄を変動表示する表示ユニットにおいて、充分な駆動力を確保しながら、表示ベルトに囲まれた空間でのレイアウトの自由度を高め、装置の前後方向の長さ寸法を極力小さくすることにある。
【課題を解決するための手段】
【０００６】
上記課題を解決するためになされた請求項１に係る表示ユニットは、複数の図柄を変動表示する表示ユニットであって、複数の図柄を有する無端の表示ベルトと、前記表示ベルトを環状に支承する複数の従動プーリと、前記表示ベルトの一部を環の内側へ押し込まれた状態に保持しながら、前記表示ベルトの外表面に接触して、前記表示ベルトを回動する駆動プーリと、を備えることを特徴とする。
【０００７】
このように構成された本発明の表示ユニットによれば、駆動プーリが表示ベルトの一部を環の内側へ押し込まれた状態に保持しながら表示ベルトの外表面に接触することで、駆動プーリと表示ベルトとの接触面積（接触角度）が大きくなり、充分な駆動力を確保することができる。また、充分な駆動力を確保するために従来構成のような駆動プーリと協働して表示ベルトを挟み込む従動プーリを必要とせず、その分表示ベルトに囲まれた空間でのレイアウトの自由度を高めることができる。また、駆動プーリが表示ベルトの環の内部に入り込まない従来構成に比べて、駆動プーリが表示ベルトの環の内部に入り込む分装置の前後方向の長さ寸法が小さくなる。
【０００８】
したがって、充分な駆動力を確保しながら、表示ベルトに囲まれた空間でのレイアウトの自由度を高め、装置の前後方向の長さ寸法を極力小さくすることができる。
請求項２に係る表示ユニットは、請求項１に記載の表示ユニットにおいて、前記表示ベルトの少なくとも一方の端部には被係止部が形成され、前記駆動プーリには、前記被係止部を係止する係止部が形成されていることを特徴とする。
【０００９】
このように構成された本発明の表示ユニットによれば、被係止部および係止部によって充分な駆動力を確保することができる。また、例えば駆動プーリが停止した際に、回転していた表示ベルトが駆動プーリの表面で滑り、表示ベルトと駆動プーリとの位置関係がずれてしまうのを防止することができる。
【００１０】
請求項３に係る表示ユニットは、請求項２に記載の表示ユニットにおいて、前記被係止部が弾性材料によって構成されていることを特徴とする。
このように構成された本発明の表示ユニットによれば、表示ベルトの耐久性を向上させることができる。
【図面の簡単な説明】
【００１１】
【図１】実施形態のパチンコ機の正面図
【図２】実施形態の図柄表示装置の表示ユニットの分解斜視図
【図３】実施形態の図柄表示装置の表示ユニットの正面図（ａ）および側面図（ｂ）
【発明を実施するための形態】
【００１２】
以下に本発明の実施形態を図面とともに説明する。なお、本発明は下記実施形態に限定されるものではなく、様々な態様にて実施することが可能である。
図１に示すように、図柄表示装置１０は、本発明の遊技機としてのパチンコ機１２の遊技盤１４のほぼ中央に取り付けられる。この図柄表示装置１０は、３つの表示ユニット１６が並置された構造であり、各表示ユニット１６はケース１８に収容されて遊技盤１４に取付けられている。各表示ユニット１６は、複数の図柄を変動表示する構成である。そして、図柄表示装置１０では、各表示ユニット１６の図柄が、横一列あるいは対角線にそって同一となれば大当たりの表示とされる。
【００１３】
図２に示すように、各表示ユニット１６はプリント回路を有する基板２０を備えている。この基板２０は、表示ユニット１６の各部を支持する支持部材を兼ねている。基板２０には、矩形の照明ユニット２２が取り付けられており、照明ユニット２２は、多数のＬＥＤを保持している。
【００１４】
図２および図３（ｂ）に示すように、基板２０には、ステッピングモータ２４、発光部と受光部とを備える光センサ２６，２８が取り付けられている。
また、基板２０にはステッピングモータ２４、照明ユニット２２のＬＥＤおよび光センサ２６，２８用の配線（図示省略）がプリントされるとともにコネクタ３０が設けられ、各配線はコネクタ３０に接続されている。そして、コネクタ３０はハーネス（図示省略）によりパチンコ機１２側の制御基板（図示省略）に接続されている。
【００１５】
図３（ｂ）に示すように、ステッピングモータ２４には駆動プーリ３２が取り付けられている。詳しくは、ステッピングモータ２４の出力軸２４ａに固着された連結板２４ｂに、駆動プーリ３２のハブ３２ａがビス３２ｂで取り付けられている。ハブ３２ａの外周には凹凸（係止部）が規則的に形成されている。
【００１６】
また、基板２０にはアイドラプーリ３４，３６，３８が軸心廻りに回動自在に取り付けられており、アイドラプーリ３４，３６，３８の軸心と駆動プーリ３２の軸心とはほぼ平行である。
【００１７】
図２および図３に示すように、アイドラプーリ３４，３６，３８には、無端の表示ベルト４０が巻回されている。この表示ベルト４０は、プラスチックフィルム製であり、表面には複数種類の図柄が印刷されており、端部同士が溶着されている。
【００１８】
表示ベルト４０の一方の縁部４０ａには、弾性材料としてのエラストマー製の帯状体が積層され、この縁部４０ａには、切欠きが所定位置に形成されることで、１箇所の基準マーク（図示省略）と各図柄に対応する複数の図柄マーク４０ｃとが設けられており、基準マークは図柄マーク４０ｃのほぼ２倍の長さ（表示ベルト４０の巻回方向長さ）である。表示ベルト４０自体は光を十分に透過させるが、縁部４０ａは殆ど光を透過させず、基準マークおよび図柄マーク４０ｃは光を十分に透過させる。
【００１９】
表示ベルト４０の他方の縁部４０ｄにもエラストマー製の帯状体が積層されているが、この縁部４０ｄには凹凸（被係止部）が形成されており、この縁部４０ｄの凹凸部はハブ３２ａの凹凸部と噛み合っている。
【００２０】
図３（ｂ）に示すように、表示ベルト４０の内側には回動軸部４２ａを基板２０に軸支されたテンションパーツ４２が配されている。このテンションパーツ４２には、回動軸部４２ａとは反対の端部に一対のテンションローラ４２ｂが装着されている。これらテンションローラ４２ｂは、軸心廻りに回動自在である。また、図３（ｂ）に示すように、テンションパーツ４２の回動軸部４２ａには、捻りばね４２ｃが外嵌されている。この捻りばね４２ｃの一方の端部は基板２０に固定され、他方の端部は回動軸部４２ａとテンションローラ４２ｂとの間に配された腕部４２ｄに当接されている。この捻りばね４２ｃの付勢力により、テンションパーツ４２は、図３（ｂ）に示されるように表示ベルト４０を内側から外側に押圧して表示ベルト４０のたるみを防止している。
【００２１】
図３（ｂ）に示すように、表示ベルト４０は、アイドラプーリ３４，３６，３８およびテンションパーツ４２によって支承されている。アイドラプーリ３４は基板２０の上部前端付近に、アイドラプーリ３６は基板２０の中央付近に、アイドラプーリ３８は基板２０の下部前端付近に、それぞれ取り付けられている。駆動プーリ３２は、表示ベルト４０の一部を環の内側へ押し込まれた状態に保持しながら、表示ベルト４０の外表面に接触して、凹凸部同士で噛み合っている表示ベルト４０を回動するようになっている。表示ベルト４０が駆動プーリ３２とアイドラプーリ３４，３６，３８との間を移動する際には、基準マークおよび図柄マーク４０ｃが光センサ２６，２８の検出域を横断する構成である。このため、光センサ２６，２８の出力レベルは、基準マークおよび図柄マーク４０ｃが通過する毎にハイ／ローの変化をすることになる。
【００２２】
光センサ２６，２８の出力信号は、検出部（図示省略）に入力される構成となっている。この検出部では、光センサ２６と光センサ２８の出力レベルが共にローレベルであるときには基準マークおよび図柄マーク４０ｃの何れも検出していないと判定するが、光センサ２６と光センサ２８の出力レベルが共にハイレベルとなったときを基準マークの検出と判定し、光センサ２６の出力または光センサ２８の出力の何れか一方がハイレベルで他方がローレベルとなったときを図柄マーク４０ｃの検出と判定し、それらの判定結果に対応する信号をパチンコ機１２の図柄制御部（図示省略）に送信する。
【００２３】
［３．実施形態の効果］
（１）このように本実施形態の表示ユニット１６によれば、駆動プーリ３２が、表示ベルト４０の一部を環の内側へ押し込まれた状態に保持しながら、表示ベルト４０の外表面に接触して、凹凸部同士で噛み合っている表示ベルト４０を回動するので、駆動プーリ３２と表示ベルト４０との接触面積（接触角度）が大きくなり、充分な駆動力を確保することができる。また、充分な駆動力を確保するために従来構成のような駆動プーリと協働して表示ベルトを挟み込む従動プーリを必要としない。さらに、駆動プーリ３２が表示ベルト４０の環の内部に入り込まない従来構成に比べて、駆動プーリ３２が表示ベルト４０の環の内部に入り込む分装置の前後方向の長さ寸法が小さくなる。
【００２４】
したがって、充分な駆動力を確保しながら、表示ベルト４０に囲まれた空間でのレイアウトの自由度を高め、表示ユニット１６の前後方向の長さ寸法を極力小さくすることができる。
【００２５】
（２）また、本実施形態の表示ユニット１６によれば、表示ベルト４０の縁部４０ｄの凹凸部と駆動プーリ３２のハブ３２ａの凹凸部とが噛み合っているので、充分な駆動力を確保することができる。また、例えば駆動プーリ３２が停止した際に、回転していた表示ベルト４０が駆動プーリ３２の表面で滑り、表示ベルト４０と駆動プーリ３２との位置関係がずれてしまうのを防止することができる。
【００２６】
（３）また、本実施形態の表示ユニット１６によれば、表示ベルト４０の縁部４０ｄの凹凸部が弾性材料としてのエラストマー製であるので、表示ベルト４０の耐久性を向上させることができる。
【符号の説明】
【００２７】
１０…図柄表示装置、１２…パチンコ機、１４…遊技盤、１６…表示ユニット、１８…ケース、２０…基板、２２…照明ユニット、２４…ステッピングモータ、２４ａ…出力軸、２４ｂ…連結板、２６，２８…光センサ、３０…コネクタ、３２…駆動プーリ、３２ａ…ハブ、３２ｂ…ビス、３４，３６，３８…アイドラプーリ、４０…表示ベルト、４０ａ，４０ｄ…縁部、４０ｃ…図柄マーク、４２…テンションパーツ、４２ａ…回動軸部、４２ｂ…テンションローラ、４２ｃ…捻りばね、４２ｄ…腕部
【図１】
2013255582.tif 000003
【図２】
2013255582.tif 000004
【図３】
2013255582.tif 000005